(57)【要約】      （修正有）【課題】透明箱の内部に透明使い捨て裏膜が設けられており、透明箱または透明使い捨て裏膜が長期間利用されて汚くなると、透明箱または透明使い捨て裏膜を捨てて新品を利用可能な使い捨て飼育箱を提供する。【解決手段】動物を飼育する収容空間１２を有し、収容空間は開口を有する透明箱１０と、第１通気ユニット４２０を有し、透明箱の収容空間の開口と組み合わされ、空気が第１通気ユニットを経由して透明箱の収容空間に進出可能である透明上蓋４０と、を含む。透明使い捨て裏膜１２０は、透明箱の収容空間の内部に配される。【選択図】図１
0003204899.tif 000002
【実用新案登録請求の範囲】
【請求項１】
動物を飼育する収容空間を有し、前記収容空間は開口を有する透明箱と、
第１通気ユニットを有し、前記透明箱の前記収容空間の前記開口と組み合わされ、空気が前記第１通気ユニットを経由して前記透明箱の前記収容空間に進出可能である透明上蓋と、を含むことを特徴とする、
使い捨て飼育箱。
【請求項２】
更に、透明使い捨て裏膜を含み、前記透明使い捨て裏膜は、前記透明箱の前記収容空間の内部に配されていることを特徴とする、請求項１に記載の使い捨て飼育箱。
【請求項３】
前記透明箱の前記開口に対応する箇所には、外側に延びる当接凸部が環設されており、前記透明上蓋には、前記透明箱の前記当接凸部に対応する当接凹部が設けられており、前記透明上蓋の前記当接凹部は、前記透明箱の前記当接凸部と係合し、前記透明箱の前記当接凸部に札が設けられていることを特徴とする、請求項１に記載の使い捨て飼育箱。
【請求項４】
前記透明箱の前記収容空間の両側に置き空間がそれぞれ設けられており、二つの前記置き空間に飼料ユニットを設置可能であり、前記飼料ユニットは上縁を有し、前記透明上蓋の前記飼料ユニットに対応する箇所に凹み空間が形成されており、前記凹み空間により、前記透明上蓋は前記飼料ユニットを収容可能であり、前記透明上蓋の前記凹み空間には、前記飼料ユニットの前記上縁に対応する下縁が設けられており、前記透明箱に前記透明上蓋を組み合わせると、前記凹み空間の前記下縁と前記上縁との間に隙間が形成されることを特徴とする、請求項１に記載の使い捨て飼育箱。
【請求項５】
前記飼料ユニットは、第１飼料空間と、第２飼料空間と、第３飼料空間と、を有し、前記第１飼料空間と前記第２飼料空間とには、流通口が複数設けられており、前記第３飼料空間にボトルが配されており、前記第３飼料空間に設けられている第１水飲み部は、前記ボトルに設けられている第２水飲み部に対応することを特徴とする、請求項４に記載の使い捨て飼育箱。
【請求項６】
前記透明上蓋に収容部が設けられており、前記収容部に前記第１通気ユニットを設け可能であり、前記第１通気ユニットの上方に不織布ろ過シートが配されており、前記不織布ろ過シートの上方に固定ストリップが配されていることを特徴とする、請求項１に記載の使い捨て飼育箱。
【請求項７】
前記第１通気ユニットに貫通孔が複数設けられていることを特徴とする、請求項１に記載の使い捨て飼育箱。
【請求項８】
前記固定ストリップには、前記透明上蓋の前記第１通気ユニットに対応する第２通気ユニットが設けられており、前記第２通気ユニットに貫通孔が複数設けられていることを特徴とする、請求項６に記載の使い捨て飼育箱。
【請求項９】
前記固定ストリップには、前記収容部に設けられている二つの差込ポートにそれぞれ対応する二つの差込部が設けられており、前記固定ストリップの二つの前記差込部は、前記収容部の二つの前記差込ポートにそれぞれ差し込むことを特徴とする、請求項６に記載の使い捨て飼育箱。
【請求項１０】
前記固定ストリップには、前記透明上蓋に設けられている第２位置決めユニットに対応する第１位置決めユニットが設けられており、前記第１位置決めユニットと前記第２位置決めユニットとにより、前記固定ストリップは前記透明上蓋に位置決められることを特徴とする、請求項６に記載の使い捨て飼育箱。
【考案の詳細な説明】
【技術分野】
【０００１】
本考案は、動物を飼育する飼育箱に関し、特に、使い捨て飼育箱に関するものである。
【背景技術】
【０００２】
薬物を開発して人体試験を行う前には、動物を試験対象として、薬物の生理代謝の試験及びテストを行うことが一般的である。これにより、当該薬物の治療効果または薬物の毒性を把握することが可能である。従来の飼育箱は、箱の底部にマッドが配されており、長期間利用されると、動物の排泄物または余計なマッドにより、汚くなるため、動物の行為の観察が難しくなる。このため、ユーザは飼育箱を定期的に洗浄することが必要である。
【考案の概要】
【考案が解決しようとする課題】
【０００３】
本考案の主な目的は、透明箱を有し、透明箱の内部に透明使い捨て裏膜が設けられており、透明箱に透明上蓋が組み合わされており、透明上蓋により、飼育する動物が逃げることができず、透明箱または透明使い捨て裏膜が長期間に利用されて汚くなると、透明箱または透明使い捨て裏膜を捨てて新品を利用可能であり、これにより、ユーザは透明箱の内部の動物を良く観察可能な使い捨て飼育箱を提供することにある。
【課題を解決するための手段】
【０００４】
本考案の使い捨て飼育箱は、動物を飼育する収容空間を有し、収容空間は開口を有する透明箱と、第１通気ユニットを有し、透明箱の収容空間の開口と組み合わされ、空気が第１通気ユニットを経由して透明箱の収容空間に進出可能である透明上蓋と、を含むことを特徴とする。
【０００５】
本考案の使い捨て飼育箱は、更に、透明使い捨て裏膜を含み、透明使い捨て裏膜は、透明箱の収容空間の内部に配されていることを特徴とする。
【０００６】
本考案の使い捨て飼育箱は、透明箱の開口に対応する箇所には、外側に延びる当接凸部が環設されており、透明上蓋には、透明箱の当接凸部に対応する当接凹部が設けられており、透明上蓋の当接凹部は、透明箱の当接凸部と係合し、透明箱の当接凸部に札が設けられていることを特徴とする。
【０００７】
本考案の使い捨て飼育箱は、透明箱の収容空間の両側に置き空間がそれぞれ設けられており、二つの置き空間に飼料ユニットを置き可能であり、飼料ユニットは上縁を有し、透明上蓋の飼料ユニットに対応する箇所に凹み空間が形成されており、凹み空間により、透明上蓋は飼料ユニットを収容可能であり、透明上蓋の凹み空間には、飼料ユニットの上縁に対応する下縁が設けられており、透明箱に透明上蓋を組み合わせると、凹み空間の下縁と上縁との間に隙間が形成されることを特徴とする。
【０００８】
本考案の使い捨て飼育箱は、飼料ユニットは、第１飼料空間と、第２飼料空間と、第３飼料空間と、を有し、第１飼料空間と第２飼料空間とには、流通口が複数設けられており、第３飼料空間にボトルが配されており、第３飼料空間に設けられている第１水飲み部は、ボトルに設けられている第２水飲み部に対応することを特徴とする。
【０００９】
本考案の使い捨て飼育箱は、透明上蓋に収容部が設けられており、収容部に第１通気ユニットを設け可能であり、第１通気ユニットの上方に不織布ろ過シートが配されており、不織布ろ過シートの上方に固定ストリップが配されていることを特徴とする。
【００１０】
本考案の使い捨て飼育箱は、第１通気ユニットに貫通孔が複数設けられていることを特徴とする。
【００１１】
本考案の使い捨て飼育箱は、固定ストリップには、透明上蓋の第１通気ユニットに対応する第２通気ユニットが設けられており、第２通気ユニットに貫通孔が複数設けられていることを特徴とする。
【００１２】
本考案の使い捨て飼育箱は、固定ストリップには、収容部に設けられている二つの差込ポートにそれぞれ対応する二つの差込部が設けられており、固定ストリップの二つの差込部は、収容部の二つの差込ポートにそれぞれ差し込むことを特徴とする。
【００１３】
本考案の使い捨て飼育箱は、固定ストリップには、透明上蓋に設けられている第２位置決めユニットに対応する第１位置決めユニットが設けられており、第１位置決めユニットと第２位置決めユニットとにより、固定ストリップは透明上蓋に位置決められることを特徴とする。
【考案の効果】
【００１４】
本考案の使い捨て飼育箱は、透明箱を有し、透明箱の内部に透明使い捨て裏膜が設けられており、透明箱に透明上蓋が組み合わされており、透明上蓋により、飼育する動物が逃げることができず、透明箱または透明使い捨て裏膜が長期間利用されて汚くなると、透明箱または透明使い捨て裏膜を捨てて新品を利用可能であり、これにより、ユーザは透明箱の内部の動物を良く観察可能であるという効果を有する。
【図面の簡単な説明】
【００１５】
【図１】本考案の第１の実施形態に係る使い捨て飼育箱を示す分解斜視図である。
【図２】本考案の第１の実施形態に係る使い捨て飼育箱の一部を示す分解斜視図である。
【図３】本考案の第１の実施形態に係る使い捨て飼育箱の組合せ済み状態を示す斜視図である。
【図４】本考案に係る飼料ユニットを示す斜視図である。
【図５】図３における５−５線の断面図である。
【図６】図３における６−６線の断面図である。
【図７】本考案に係る飼料ユニットと置き空間とを組み合わせた後の状態を示す断面図である。
【図８】本考案に係る固定ストリップと収容部の別の実施例を示す分解斜視図である。
【図９】本考案の第２の実施形態に係る使い捨て飼育箱を示す分解斜視図である。
【考案を実施するための形態】
【００１６】
以下、本考案の実施の形態を図面に基づいて説明する。
【００１７】
（第１の実施形態）
図１から図７を参照する。本実施形態に係る使い捨て飼育箱は、透明箱１０と、透明使い捨て裏膜１２０と、飼料ユニット２０と、ボトル３０と、透明上蓋４０と、収容部５０と、を含む。
【００１８】
透明箱１０は、動物を飼育する収容空間１２を有する。収容空間１２は開口１３を有する。透明箱１０の開口１３に対応する箇所には、外側に延びる当接凸部１１が環設されている。当接凸部１１に札１１０が設けられている。収容空間１２の両側に置き空間１２１がそれぞれ設けられている。置き空間１２１に当接溝１２１０が二つ設けられている。
【００１９】
透明使い捨て裏膜１２０は、その輪郭が透明箱１０の収容空間１２に合い、収容空間１２の内部に配されている。
【００２０】
飼料ユニット２０は、収容空間１２に設けられている二つの置き空間１２１に置かれる。飼料ユニット２０には、置き空間１２１の当接溝１２１０に対応する当接部２４が設けられている。二つの当接溝１２１０に二つの当接部２４をそれぞれ当接すると、飼料ユニット２０が二つの置き空間１２１に配されるようになる。飼料ユニット２０は上縁２００を有する。飼料ユニット２０は、第１飼料空間２１と、第２飼料空間２２と、第３飼料空間２３と、を有する。第１飼料空間２１と第２飼料空間２２とには、流通口２１０，２２０が複数設けられている。
【００２１】
ボトル３０は、飼料ユニット２０の第３飼料空間２３に配されている。第３飼料空間２３に設けられている第１水飲み部２３０は、ボトル３０に設けられている第２水飲み部３００に対応する。
【００２２】
透明上蓋４０には、透明箱１０の当接凸部１１に対応する当接凹部４１が設けられている。透明箱１０の当接凸部１１と透明上蓋４０の当接凹部４１とを互いに係合することにより、透明上蓋４０が透明箱１０の収容空間１２の開口１３に組み合わされるようになる。透明上蓋４０は、飼料ユニット２０に対応する箇所に凹み空間４２が形成されている。凹み空間４２には、飼料ユニット２０の上縁２００に対応する下縁４２１が設けられている。
【００２３】
収容部５０は、透明上蓋４０に設けられており、第１通気ユニット４２０（第１通気ユニット４２０は複数の穿孔を有する構造でもよい）を有する。収容部５０の上方に不織布ろ過シート６０が配されており、不織布ろ過シート６０の上方に固定ストリップ７０が配されている。
固定ストリップ７０には、収容部５０の第１通気ユニット４２０に対応する第２通気ユニット７１（第２通気ユニット７１は複数の穿孔を有する構造でもよい）が設けられている。固定ストリップ７０には、収容部５０に設けられている二つの差込ポート５１にそれぞれ対応する二つの差込部７２が設けられている。固定ストリップ７０の二つの差込部７２は、収容部５０の二つの差込ポート５１にそれぞれ差し込む。固定ストリップ７０により、不織布ろ過シート６０は収容部５０に固定する。
【００２４】
透明箱１０と透明上蓋４０とにより、ユーザは飼育箱内の動物の活動及び健康状態を容易に観察可能である。飼育する動物が透明使い捨て裏膜１２０内に一定の期間生活すると、当該動物の排泄物により、透明使い捨て裏膜１２０が汚くなり、当該動物を容易に観察することができなくなる。このとき、透明使い捨て裏膜１２０を新品と交換し、又は透明使い捨て裏膜１２０と透明箱１０とを新品と交換すると、当該動物を容易に観察することができる。
当該動物の行為を観察する場合には、飼料ユニット２０の第１飼料空間２１と第２飼料空間２２とに飼料を適当に投入すれば、複数の流通口２１０，２２０により、当該動物は飼料を食べることが可能である。第３飼料空間にボルト３０が配されているため、第１水飲み部２３０と第２水飲み部３００とにより、当該動物はボルト３０内の水を飲むことが可能である。更に、第２水飲み部３００に水吸い部材（図示せず）を連接すると、体積がより大きい動物は、前記水吸い部材を介して水を飲むことが可能である。当該動物の生活状態を札１１０に記入すると、ユーザは当該動物の生活状態を把握することができる。
【００２５】
図７に示すように、透明箱１０の収容空間１２の開口１３に透明上蓋４０が組み合わされており、凹み空間４２の下縁４２１と飼料ユニット２０の上縁２００との間に隙間Ｄが形成される。これにより、空気は、第１通気ユニット４２０、隙間Ｄ及び第２通気ユニット７１を順次に経由して、透明箱１０の収容空間１２に進出可能である。収容空間１２内の空気が流通可能なため、臭いが発生しない。不織布ろ過シート６０により、収容空間１２に流入する空気におけるホコリやゴミがろ過され、飼育する動物は健康に生きることが可能である。
【００２６】
図８に示すように、固定ストリップ７０には、透明上蓋４０に設けられている第２位置決めユニット４３に対応する第１位置決めユニット７３が設けられている。第１位置決めユニット７３と第２位置決めユニット４３とにより、固定ストリップ７０は透明上蓋４０に位置決められる。固定ストリップ７０により、不織布ろ過シート６０は収容部５０に固定する。
【００２７】
（第２の実施形態）
図９を参照する。本実施形態に係る使い捨て飼育箱は、透明箱１０と、透明使い捨て裏膜１２０と、飼料ユニット２０と、ボトル３０と、透明上蓋４０と、収容部５０と、を含む。
【００２８】
透明箱１０は、動物を飼育する収容空間１２を有する。収容空間１２は開口１３を有する。透明箱１０の開口１３に対応する箇所には、外側に延びる当接凸部１１が環設されている。収容空間１２の両側に置き空間１２１がそれぞれ設けられている。置き空間１２１に当接溝１２１０が二つ設けられている。
【００２９】
透明使い捨て裏膜１２０は、その輪郭が透明箱１０の収容空間１２に合い、収容空間１２の内部に配されている。
【００３０】
飼料ユニット２０は、収容空間１２に設けられている二つの置き空間１２１に置かれる。飼料ユニット２０には、置き空間１２１の当接溝１２１０に対応する当接部２４が設けられている。二つの当接溝１２１０に二つの当接部２４をそれぞれ当接すると、飼料ユニット２０が二つの置き空間１２１に配されるようになる。飼料ユニット２０は上縁２００を有する。
飼料ユニット２０は、第１飼料空間２１と、第２飼料空間２２と、第３飼料空間２３と、を有する。第１飼料空間２１と第２飼料空間２２とには、流通口２１０，２２０が複数設けられている。
【００３１】
ボトル３０は、飼料ユニット２０の第３飼料空間２３に配されている。第３飼料空間２３に設けられている第１水飲み部２３０は、ボトル３０に設けられている第２水飲み部３００に対応する。
【００３２】
透明上蓋４０には、透明箱１０の当接凸部１１に対応する当接凹部（図示せず）が設けられている。透明箱１０の当接凸部１１と透明上蓋４０の前記当接凹部とを互いに係合することにより、透明上蓋４０が透明箱１０の収容空間１２の開口１３に組み合わされるようになる。透明上蓋４０は、飼料ユニット２０に対応する箇所に第１通気ユニット４２２が設けられている。第１通気ユニット４２２の周囲に第２位置決めユニット４４が設けられている。
【００３３】
収容部５０は、透明上蓋４０に設けられており、第１通気ユニット４２２の外側と連接する。収容部５０の上方に不織布ろ過シート６０が配されており、不織布ろ過シート６０の上方に固定ストリップ７０が配されている。
固定ストリップ７０には、透明上蓋４０の第１通気ユニット４２２に対応する第２通気ユニット７１が設けられている。固定ストリップ７０には、透明上蓋４０の第２位置決めユニット４４に対応する第１位置決めユニット７３が設けられている。第１位置決めユニット７３により、固定ストリップ７０は透明上蓋４０の第２位置決めユニット４４に位置決められる。固定ストリップ７０により、不織布ろ過シート６０は収容部５０に固定する。
【００３４】
透明箱１０に透明上蓋４０を組み合わせると、空気は、第１通気ユニット４２２及び第２通気ユニット７１を順次に経由して、透明箱１０の収容空間１２に進出可能である。収容空間１２内の空気が流通可能なため、臭いが発生しない。不織布ろ過シート６０により、収容空間１２に流入する空気におけるホコリやゴミがろ過され、飼育する動物は健康に生きることが可能である。
【００３５】
透明箱１０と透明上蓋４０とにより、ユーザは飼育箱内の動物の活動及び健康状態を容易に観察可能である。飼育する動物が透明使い捨て裏膜１２０内に一定の期間に生活すると、当該動物の排泄物により、透明使い捨て裏膜１２０が汚くなり、当該動物を容易に観察することができなくなる。このとき、透明使い捨て裏膜１２０を新品と交換し、又は透明使い捨て裏膜１２０と透明箱１０とを新品と交換すると、当該動物を容易に観察することができる。
当該動物の行為を観察する場合には、飼料ユニット２０の第１飼料空間２１と第２飼料空間２２とに飼料を適当に投入すれば、複数の流通口２１０，２２０により、当該動物は飼料を食べることが可能である。第３飼料空間にボルト３０が配されているため、第１水飲み部２３０と第２水飲み部３００とにより、当該動物はボルト３０内の水を飲むことが可能である。
【００３６】
本考案は、飼育箱に適用することができる。
【符号の説明】
【００３７】
１０  透明箱
１１  当接凸部
１２  収容空間
１３  開口
２０  飼料ユニット
２１  第１飼料空間
２２  第２飼料空間
２３  第３飼料空間
２４  当接部
３０  ボトル
４０  透明上蓋
４１  当接凹部
４２  凹み空間
４３，４４  第２位置決めユニット
５０  収容部
５１  差込ポート
６０  不織布ろ過シート
７０  固定ストリップ
７１  第２通気ユニット
７２  差込部
７３  第１位置決めユニット
１１０  札
１２０  透明使い捨て裏膜
１２１  置き空間
２００  上縁
２１０，２２０  流通口
２３０  第１水飲み部
３００  第２水飲み部
４２０，４２２  第１通気ユニット
４２１  下縁
１２１０  当接溝
Ｄ  隙間
【図１】
0003204899.tif 000003
【図２】
0003204899.tif 000004
【図３】
0003204899.tif 000005
【図４】
0003204899.tif 000006
【図５】
0003204899.tif 000007
【図６】
0003204899.tif 000008
【図７】
0003204899.tif 000009
【図８】
0003204899.tif 000010
【図９】
0003204899.tif 000011